(57)【要約】  繊維複合材料を含むワークピースの製造方法において、コンベヤ装置の保持手段（９７）によって保持されたベースユニット（５）が、少なくとも１つのアプリケーションステーション（２、１４、１７、２０、２３、２７、２９、２、１４、１７、２０、２３、２７、２９、３９−４１、６７−７２）を通って案内される、且つ、関連するアプリケーションステーション（２、１４、１７、２０、２３、２７、２９、２、１４、１７、２０、２３、２７、２９、３９−４１、６７−７２）を介したベースユニット（5）の並進移動中に、繊維複合材料に属する少なくとも１つのストリップ（６）がベースユニット（５）上に配置されて、アプリケーションステーション（２、１４、１７、２０、２３、２７、２９、２、１４、１７、２０、２３、２７、２９、３９−４１、６７−７２）又は少なくとも１つのアプリケーションステーション（２、１４、１７、２０、２３、２７、２９、２、１４、１７、２０、２３、２７、２９、３９−４１、６７−７２）でワークピースを形成する。アプリケーションステーション（２、１４、１７、２０、２３、２７、２９、２、１４、１７、２０、２３、２７、２９、３９−４１、６７−７２）の前又は少なくとも１つのアプリケーションステーション（２、１４、１７、２０、２３、２７、２９、２、１４、１７、２０、２３、２７、２９、３９−４１、６７−７２）の前の搬送方向において、ベースユニット（５）の空間的位置合わせは、保持手段（９７）に対して少なくとも１回回転することによって変更されることが提案される。この目的に適した装置も紹介されている。
2021529116.tif 000002
【特許請求の範囲】
【請求項１】
繊維複合材料を含むワークピースの製造方法であって、ここで、
ａ）コンベヤの保持手段（９７）によって保持されたベースユニット（５）は、少なくとも１つのアプリケーションステーション（２、１４、１７、２０、２３、２７、２９、２、１４、１７、２０、２３、２７、２９、３９−４１、６７−７２）を通って導かれる、及び
ｂ）問題のアプリケーションステーション（２、１４、１７、２０、２３、２７、２９、２、１４、１７、２０、２３、２７、２９、３９−４１、６７−７２）を通るベースユニット（５）の並進移動中に、アプリケーションステーション（２、１４、１７、２０、２３、２７、２９、２、１４、１７、２０、２３、２７、２９、３９−４１、６７−７２）又は少なくとも１つのアプリケーションステーション（２、１４、１７、２０、２３、２７、２９、２、１４、１７、２０、２３、２７、２９、３９−４１、６７−７２）でワークピースを形成するために、繊維複合材料に属する少なくとも１つのストリップ（６）がベースユニット（５）上に配置される、
ｃ）前記アプリケーションステーション（２、１４、１７、２０、２３、２７、２９、２、１４、１７、２０、２３、２７、２９、３９−４１、６７−７２）の前又は前記アプリケーションステーション（２、１４、１７、２０、２３、２７、２９、２、１４、１７、２０、２３、２７、２９、３９−４１、６７−７２）の少なくとも１つの前の搬送方向において、ベースユニット（５）の空間的位置合わせは、ホルダー手段（９７）に対して少なくとも１回回転することによって変更されることを特徴とする、方法。
【請求項２】
ベースユニット（５）がコンベヤ装置上で搬送されている間に配向の変化が起こることを特徴とする、請求項１に記載の方法。
【請求項３】
少なくとも１つのストリップ（６）からなる第１の層が、コンベヤ装置に属しない基本ベースユニット（９６）上に敷設されることを特徴とする、請求項１又は２に記載の方法。
【請求項４】
前記コンベヤ装置内の前記少なくとも１つのベースユニット（５）は、前記少なくとも１つのアプリケーションステーション（２、１４、１７、２０、２３、２７、２９、２、１４、１７、２０、２３、２７、２９、３９−４１、６７−７２）の外側でも熱が作用することを特徴とする、前記請求項のいずれか一項に記載の方法。
【請求項５】
少なくとも１つのストリップ（６）を形成するためのそのストリップ材料（３１、５０）は、少なくとも１つの貯蔵容器（４）に保管されることを特徴とする、前記請求項のいずれか一項に記載の方法。
【請求項６】
前記貯蔵容器の少なくとも２つが、テープが所定の敷設パターンで計画どおりに敷設されるのと同時に、又は少なくともほぼ同時にそれらが使い果たされる方法で、前記アプリケーションステーション（２、１４、１７、２０、２３、２７、２９、２、１４、１７、２０、２３、２７、２９、３９）の少なくとも１つで前記ストリップ材料を備えていることを特徴とする、請求項５に記載の方法。
【請求項７】
第１の貯蔵容器（４）が第２の貯蔵容器（４）と交換される前に、前記第２の貯蔵容器（４）の前記ストリップ材料（３１、５０）が前記第１の貯蔵容器（４）の前記ストリップ材料（３１、５０）に接合されていることを特徴とする、請求項５又は６に記載の方法。
【請求項８】
前記ストリップ材料（３１、５０）の少なくともサブセットが、所定の分離点（５６）を導入することによってより簡単な方法で互いに分離することができる、それぞれの長さが、それとともに形成されるストリップ（６）の長さに正確に又は少なくとも実質的に対応する、ストリップ材料の断片に分割されることを特徴とする、請求項５から７のいずれか一項に記載の方法。
【請求項９】
前記ストリップ（６）を敷設するための前記アプリケーションステーション（２、１４、１７、２０、２３、２７、２９、２、１４、１７、２０、２３、２７、２９、３９−４１、６７−７２）の少なくとも１つ又は前記ストリップ（６）の少なくとも１つにおいて、関連ストリップ材料（３１、５０）が、敷設ユニット（３）の圧力要素でベースユニット（５）に押し付けられることを特徴とする、請求項５から８のいずれか一項に記載の方法。
【請求項１０】
前記ストリップ材料（３１、５０）が前記ベースユニット（５）に押し付けられる前に、前記ストリップ材料（３１、５０）は、前記圧力要素（４８、５３）から前記圧力要素（４８、５３）の圧力方向に離れた領域から時間的に作用すること、特に、前記ストリップ材料（３１、５０）は、前記ベースユニット（５）と接触する前に、事前配置、前処理、特に予熱、及び／又は関連する圧力要素（４８、５３）に取り付けられていることを特徴とする、請求項９に記載の方法。
【請求項１１】
前記圧力要素（４８、５３）は、前記圧力要素（４８、５３）を通って流れる冷却流体によって冷却されることを特徴とする、請求項９又は１０に記載の方法。
【請求項１２】
少なくとも２つのベースユニット（５）が前記コンベヤ装置内で同時に運ばれ、前記少なくとも２つのベースユニット（５）が少なくとも２つのアプリケーションステーション（２、１４、１７、２０、２３、２７、２９、２、１４、１７、２０、２３、２７、２９、３９−４１、６７ー７２）を通って次々に案内されること、それにより、好ましくは、前記アプリケーションステーション（２、１４、１７、２０、２３、２７、２９、２、１４、１７、２０、２３、２７、２９、３９ー４１、６７―７２）の少なくとも２つに、前記ストリップ（６）の異なる敷設パターン（６６）が提供されることを特徴とする、前記請求項のいずれか一項に記載の方法。
【請求項１３】
ａ）少なくとも１つの敷設ユニット（３）を備えた少なくとも１つのアプリケーションステーション（２、１４、１７、２０、２３、２７、２９、２、１４、１７、２０、２３、２７、２９、３９−４１、６７−７２）であって、ここで、敷設ユニット（３）は、ストリップ材料（３１、５０）から形成され、且つ繊維複合材料に属する少なくとも１つのストリップ（６）を、所定の敷設パターンで少なくとも１つのベースユニット（５）に敷設するように設定される、アプリケーションステーション、及び
ｂ）少なくとも１つのベースユニット（５）を搬送するように設定され、保持手段（９７）を保持して、搬送方向に離間した少なくとも２つのアプリケーションステーション（２、１４、１７、２０、２３、２７、２９、２、１４、１７、２０、２３、２７、２９、３９−４１、６７−７２）に次々に、又は同じアプリケーションステーション（２、１４、１７、２０、２３、２７、２９、２、１４、１７、２０、２３、２７、２９、３９−４１、６７−７２）に少なくとも２回搬送するように設定されたコンベヤ装置、
を含む繊維複合材料を含むワークピースを製造するための装置であって、
ｃ）前記アプリケーションステーション（２、１４、１７、２０、２３、２７、２９、２、１４、１７、２０、２３、２７、２９、３９−４１、６７−７２）の前又は前記アプリケーションステーション（２、１４、１７、２０、２３、２７、２９、２、１４、１７、２０、２３、２７、２９、３９−４１、６７−７２）の少なくとも１つの前に配置された、保持手段（９７）に対して少なくとも１回回転することにより、前記ベースユニット（５）又は前記ベースユニット（５）の少なくとも１つの空間的位置合わせを変更するように設定された、少なくとも１つのアライメントユニット（１１、１５、１８、２１、２４、２７、４２、４３、９１−９５）、を特徴とする装置。
【請求項１４】
前記アライメントユニット（１１、１５、１８、２１、２４、２７、４２、４３、９１−９５）は、前記ベースユニット（５）のスタック（８４）を受け入れるように設定されていることを特徴とする、請求項１３に記載の装置。
【請求項１５】
前記コンベヤ装置内に配置された前記ベースユニット（５）のうちの少なくとも１つの温度を制御するように設定された少なくとも１つの温度制御ユニット（４４）を特徴とする、請求項１３又は１４に記載の装置。
【請求項１６】
前記アプリケーションステーション（２、１４、１７、２０、２３、２７、２９、２、１４、１７、２０、２３、２７、２９、３９−４１、６７−７２）の少なくとも１つに配置されたストリップ材料（３１、５０）用の少なくとも１つの貯蔵容器（４）を特徴とする請求項１３から１５のいずれか一項に記載の装置。
【請求項１７】
少なくとも１つの敷設ユニット（３）に２つの貯蔵容器（４）が用意されていることを特徴とする、請求項１６に記載の装置。
【請求項１８】
前記２つの貯蔵容器（４）のうちの一方の前記ストリップ材料（３１、５０）の始まりを、前記２つの貯蔵容器（４）のうちの他方のストリップ材料（３１、５０）の終わりに結合するように設定される結合手段を特徴とする、請求項１７に記載の装置。
【請求項１９】
前記貯蔵容器（４）の少なくとも１つが、ストリップ材料（３１、５０）の少なくとも一部を互いに容易に分離することができるストリップ材料の断片に分割する、所定の分離点（５６）を備えたストリップ材料（３１、５０）を有することを特徴とする、請求項１６から１８のいずれか一項に記載の装置。  
【請求項２０】
前記敷設ユニット（３）又は前記敷設ユニット（３）の１つに配置された少なくとも１つの圧力要素（４８、５３）が、冷却流体によって冷却されることであって、ここで、前記圧力要素（４８、５３）は、ローラーホルダーに固定された固定軸（５８）に取り付けられた加圧ローラーであり、ここで、前記加圧ローラーは、前記ストリップ材料（３１、５０）と接触するように設けられたジャケット要素（１０１）を含み、且つ、冷却流体ラインの少なくとも一部は、前記軸（５８）と前記ジャケット要素（１０１）との間を通るか、又はジャケット要素（１０１）と軸（５８）との間に配置された少なくとも１つのチャンバ（６０）によって形成されることを特徴とする、請求項１３から１９のいずれか一項に記載の装置。
【請求項２１】
前記ジャケット要素（１０１）の取り付けは、前記加圧ローラーの有用な幅内に配置されていることを特徴とする請求項２０に記載の装置。
【請求項２２】
少なくとも１つの圧力要素（４８、５３）又はまだ敷設されていないストリップ材料（３１、５０）に作用するのに適した少なくとも１つのアクチュエータ、特に、前記圧力要素（４８、５３）の１つを意図したストリップ材料（４８、５３）の始まりを圧力要素に取り付けるため、及び／又は熱を導入するために、ここで、前記少なくとも１つのアクチュエータは、使用されるときに、少なくとも１つのベースユニット（５）の搬送レベル（４９）の下に配置された領域から前記圧力要素（４８、５３）にアクセスするように配置されることを特徴とする、請求項１３から２１のいずれか一項に記載の装置。
【請求項２３】
前記アプリケーションステーション（２、１４、１７、２０、２３、２７、２９、２、１４、１７、２０、２３、２７、２９、３９−４１、６７−７２）又は前記アプリケーションステーションの少なくとも１つ（２、１４、１７、２０、２３、２７、２９、２、１４、１７、２０、２３、２７、２９、３９−４１、６７−７２）に、製造プロセスで静止している少なくとも２つの敷設ユニット（３）があることであって、ここで、敷設ユニット（３）の敷設位置（３０）は、搬送方向において互いに距離を置いて配置されていることを特徴とする、請求項１３から２２のいずれか一項に記載の装置。
【発明の詳細な説明】
【技術分野】
【０００１】
本発明は、請求項１の上位概念による方法及び請求項１３の上位概念による装置に関する。
【背景技術】
【０００２】
航空宇宙工学などの多くのアプリケーション分野で、軽量と高い機械的強度が同時に必要とされる場合に特に適した高性能ファイバー複合コンポーネントが確立されている。高性能ファイバーコンポジットコンポーネントは、ストリップとも呼ばれるエンドレスのファイバー強化ストリップを敷設することで製造できる。補強繊維は、例えば、糸(Garne)、布(Gewebe)、又はノンクリンプ織物（Gelege）の形態であり得、炭素、ガラス又は他の天然又は人工の材料からなり得る。繊維はストリップに固定されているか、プラスチックマトリックスに埋め込まれている。プラスチックマトリックスは、例えば熱可塑性プラスチック又は熱硬化性プラスチックで構成されている。ストリップがワークピース又は基板に敷設する（Ablegen）前に、少なくとも大部分がプラスチックマトリックスに埋め込まれている場合、それらはプリプレグストリップ（事前含浸繊維）とも呼ばれる。プレプレグストリップは、敷設される前にそれらの敷設側に、及び／又はストリップが敷設される前に除去される担体材料上にある、付着材料、例えば反応性ホットメルト接着剤を提供することができる。乾いた繊維はまた、それらを後で含浸させるため、及び／又はそれらをプラスチックマトリックスで囲むために敷設及び固定することができ、その結果、完成したストリップは、敷設されたときに、いわば製造される。例えば、バインダー、メルトスレッド、又は縫製は、乾燥繊維の固定媒体として使用できる。
【０００３】
ワークピースの製造では、ストリップ(Baender)は機械的に前進又は前方に引っ張られ、基板に押し付けられ、自動的に敷設される。ストリップは、保管前又は保管中に希望の長さに切断できる。平らな部品を製造するために、いくつかのストリップが定義された距離に配置される。繊維複合材料の最下層は、後で完成したワークピースの一部であるか、又は再び除去される基板上に配置することができる。コンポーネントの厚さは、ラミネート構造に関する仕様を満たすために、場合によっては異なる繊維配向で、いくつかの層を互いに重ねることによって生成される。このようにして、局所的なコンポーネントの補強又は優先方向も達成でき、局所的なワークピース領域を省略できる。したがって、コンポーネントの材料費を削減できる。
【０００４】
繊維複合材料を使用したワークピースの製造プロセスの出力量の費用効果の高いスケーリングは、関連するコスト削減により経済的に賢明な応用分野を拡大できるようにするためのさらなる開発の中心的な側面である。
【０００５】
ＵＳ６６０７６２６Ｂ２から、上記のタイプの方法及び装置が知られている。繊維複合材料を有するワークピース、例えば車両の車体部分を製造するために、コンベヤベルト上のベースユニットをいくつかの適用ステーションに供給し、そこで繊維複合材料をバンドの形態でそれぞれのベースユニットに適用することがそこで開示される。このようにして、繊維複合材料のいくつかの重ねられた層が作成される。アプリケーションステーションにはそれぞれ、敷設するストリップ材料用の複数の敷設ヘッドがある。敷設ヘッドは、コンベヤベルトの搬送方向に対して横切る方向に(quer)移動できる共通のキャリアユニット上に配置されている。さらに、敷設ヘッドにはそれぞれ、搬送面に垂直な軸に対して回転できるストリップガイド要素がある。したがって、敷設されるストリップの整列は、搬送方向に対して変更することができ、その結果、搬送方向に対するストリップの異なる敷設方向は、様々なアプリケーションステーションでのストリップ敷設中のキャリアユニットの横切る方向の動き(Querbewegung)によって提供され得る。ストリップガイド要素の回転運動は、敷設されるストリップの所望の位置合わせを達成するために、キャリアユニットの横切る方向の運動(Querbewegung)と調整されなければならない。さらに、ベースユニットで可能な敷設方向(Ablege-Richtungen)の変動は制限されている。横切る方向(Querrichtung)の大きな塊の加速は、システムのダイナミクスを制限し、したがって、特に高い敷設角度での敷設速度を制限する。横方向の動きにより、空間的に変化するプロセスゾーンがある。これにより、安全及び品質保証デバイスを取り付けることが困難になる。
【０００６】
ＥＰ  ２  ９２５  ５０９  Ｂ１は、回転式及び並進移動可能な配置テーブルを備えたストリップ敷設装置を開示している。この先行技術の変形では、異なる材料供給ユニットの２つのストリップを単一の敷設ヘッドユニット内で次々に引き抜き、適切な長さに切断し、適切な場所に配置された敷設テーブル上に置くことができる。敷設されたストリップを固定するために、ストリップステープルユニットが提供され、これは、図面によれば、一列に配置された複数の個別のデバイス、おそらく超音波ソノトロードを含む。共通の敷設テーブルにアクセスできる２つの敷設ヘッドユニットを備えた変形では、敷設ヘッドユニットは互いに独立しており、それぞれ独自の材料供給ユニット、切断装置、ストリップ用のグリップ手段があり、各グリップ手段には、関連するリニアドライブ、敷設する各ストリップのガイドトラック、及びストリップステープルユニットがある。この構成では、ストリップのセクションを所定の長さに引き、ガイドウェイに配置し、製造する部品の最初の敷設ヘッドユニットと所定の位置にステープルで留めると同時に、ストリップの次のセクションを所定の長さに引っ張って、ガイドウェイの２番目の敷設ヘッドユニットに配置する。第１のストリップセクションが第１の敷設ヘッドユニットによって貼り付けられた後、敷設テーブルは、製造される部品を第２の敷設ヘッドユニットに運び、その間に次のストリップセクションが準備され、製造される部品に貼り付けられるように配置される。したがって、一度に１本のストリップだけを置いて固定する。この先行技術に従って必要とされる、配置テーブル及び配置テーブル上に配置されたアクチュエータの動きは、それに適用されるストリップ質量に対して比較的高い質量の動きを意味する。さらに、明らかに超音波ソノトロードの形のストリップステープルユニットを使用して、ストリップは敷設(Ablegen)後に個別に取り付けられる。これには、さらに処理する前に、ストリップで作成されたラミネートのその後の統合（Konsolidierung）が必要である。
【０００７】
ＤＥ  ２０  ２０１６  １０５  ８８９  Ｕ１は、繊維複合材料を含むワークピースを製造するためのさらなる装置を開示しており、繊維複合材料ストリップは、アプリケーションステーションによって回転及び並進移動可能な敷設テーブル上に配置される。製造されるワークピースは、負圧により敷設テーブルのテーブルトップに固定される。複数の層を適用する場合、テーブルをアプリケーションステーションの下で数回移動し、必要に応じて回転させて、ストリップを貼り付ける方向(Ablege-Richtungen)を変える。各ストリップはその場合個別に保管される。ストリップを供給するための緩衝システムが開示されており、これは、例えば、ダンサーシステムとして設計することができ、製造プロセスを中断することなくストリップ供給の交換を可能にするストリップ供給を保持する。さらに、バッファーシステムを使用して、供給からのストリップの連続的な巻き戻しを中断することなく、刃先の領域でストリップを目的の敷設物の長さ(Ablegelaenge)に切断するために必要な停止プロセスを可能にすることができる。ストリップ材料を、ある長さに切断されたストリップとして敷設プロセス(Ablegeprozess)に供給することも開示されている。このようにして、切断プロセスを省くことができる。敷設プロセスでは、カットストリップは負圧を使用して敷設ヘッドにぶら下がって輸送される。複数のストリップを同時に敷設することも開示されている。貼り付けられた(abgelegten)ストリップは、超音波を使用したステープル装置によって固定される。ＥＰ  ２  ９２５  ５０９  Ｂ１についてすでに述べた不利な点も本明細書に示される。これは、次の先行技術にも当てはまる。
【０００８】
米国特許第８，０４８，２５３号Ｂ２は、１つの変形例では、いくつかの敷設ヘッドを有するテープ(Tape)敷設装置を記載している。それにより、複数のストリップ又はテープストリップ(Tapestreifen)を同時に敷設することが可能になる。ストリップ材料は、所望の長さのストリップを切断し、次に、関連する敷設ユニット(Ablegeeinheit)とともに、変位面の2方向に並進移動可能で、変位面に垂直に整列した回転軸を中心に回転できる敷設テーブルの処理面に配置される切断装置に供給される。切断されたストリップは、ストリップの(Bandes)両側に配置された、敷設ヘッドのガイドレールにガイドされる。ここで、ストリップの端をガイドレールの溝に保持する。ストリップは超音波ソノトロードを使用して固定されている。
【０００９】
回転可能で並進的に移動可能な敷設テーブルを備えた繊維複合材料を含むワークピースを製造するためのストリップ敷設装置(Bandablegevorrichtung)の変形が知られている(https://www.fill.co.at/de/automotivekunststofftechnik/composites/fiber-&-preforming/multilayer/video/1358p572i30.html;２０１８年６月２２日)。前記ストリップ敷設装置の場合、敷設テーブルは、互いに平行に配置され、互いに移動可能な一連の敷設ユニットの下に、所望の方向に配置される。敷設ユニットは、敷設テーブルが停止した状態でグループ又は個別に移動され、次にテーブルが並進及び／又は回転方式で移動され、敷設ユニットのバッテリーの下で新しい方向に再び移動される。敷設パターンがストリップのレイヤーごとに異なる場合は、敷設ユニットの一部のみが特定の位置で使用されていることが必要かもしれない。敷設のパターンによっては、敷設ユニットの静止タイムが長くなる可能性がある。これにより、未使用の投資と、設置スペースに関連する高レベルのマシンの複雑さが発生する。特に、敷設ユニット用のリニアアクチュエータ、つまり敷設ユニットごとに１つに対する需要が高いためである。この機械の原理はまた、大きな移動質量をもたらす。
【００１０】
ＤＥ  １０  ２０１４  ２０１  ０６０  Ａ１は、ファイバー敷設機と呼ばれる複数のアプリケーションステーションが搬送装置に接続されているファイバー敷設システムを開示している。ファイバー敷設システムには、前述の出版物では成形工具用のパレットと呼ばれるベースユニットの保持手段がコンベヤキャリッジによってアプリケーションステーションに輸送される受け取りポイントがある。それぞれのアプリケーションステーションの入口エリアでは、それぞれの保持手段は、Ｘ方向に移動できるスライドのツールテーブル上のハンドリングユニットによって配置され、ストレージヘッドの下のドアで閉じることができる敷設チャンバ(Ablegekammer)内で移動される。また、ストリップ敷設中のＸ方向へのテーブルの動きも開示されている。したがって、３次元ベースユニット（成形ツール）は、閉じた保敷設チャンバ内でストリップで覆うことができる。
【００１１】
ＷＯ２０１７／１２７２７６Ａ１から、垂直軸を中心に回転可能な敷設テーブルがコンベヤ上で前後に案内される単一のアプリケーションステーションが知られている。ストリップが敷設される前に、敷設テーブルが所望の方向に回転され、敷設ユニットが、ストリップを敷設するためのコンベヤ装置の搬送方向に垂直な方向に並進的に移動されると想定することができる。したがって、ストリップは、敷設テーブルが静止した状態で、及び敷設ユニットが移動した状態でアプリケーションステーションに敷設される(Ablegen)。
【００１２】
ＥＰ  １  ４２２  ０４８  Ａ２は、移動して静止ワークピースを形成することができ、多数の敷設ヘッド(Legekoepfen)を備えたブリッジ形状の敷設ユニットを開示している。敷設ヘッドは、ブリッジトラバースの両側にオフセットして配置されているため、隙間なく敷設できる。ただし、この目的のために、敷設ユニットを反対方向に２回動かすことができる。
【００１３】
複雑なマシンは、ＤＥ  １０  ２０１６  １０４  ９２６Ａ１から知られている。前記複雑なマシンでは、リールから取り出されたストリップ材料は、最初にサイズにカットされ、次に細いコンベヤベルトを介して敷設ユニットに供給される。敷設ヘッドは、真空によってストリップの切断片を拾い上げ、敷設テーブルに導き、敷設される。十分な数のストリップが第１の層に敷設されると、敷設された層は輸送ユニットによってピックアップされ、別のテーブルに敷設される。この第２のテーブルは、第１の敷設テーブルに配置された別のレイヤーを、第１のレイヤーの目的の方向に配置できるようにするために回転される。
【発明の概要】
【発明が解決しようとする課題】
【００１４】
ここで関係する本発明は、最先端技術と比較してより経済的であることができる、例えば、敷設されるストリップの量に関連して移動質量を減らし、敷設ユニットの静止タイムを最小限に抑えることによって、上記のタイプの方法及び装置を提供するという技術的タスクに基づいている。
【課題を解決するための手段】
【００１５】
技術的な問題は、請求項１の特徴を有する方法に関して、及び請求項１３の特徴を有する装置に関して達成される。
【００１６】
本発明による方法及び本発明による装置の有利な実施形態は、従属請求項から生じる。
【００１７】
したがって、繊維複合材料を含むワークピースの製造方法に関して、ベースユニットの空間的位置合わせは、保持手段に対して少なくとも１回回転することにより、アプリケーションステーションの前又は少なくとも１つのアプリケーションステーションの前の搬送方向に変更されることが提案されている。ここで、コンベヤ装置の保持手段によって保持されたベースユニットは、少なくとも１つのアプリケーションステーションを通って導かれる、及び問題のアプリケーションステーションを通るベースユニットの並進移動中に、アプリケーションステーション又は少なくとも１つのアプリケーションステーションでワークピースを形成するために、繊維複合材料に属する少なくとも１つのストリップがベースユニット上に敷設される(abgelegt  wird)。
【００１８】
本発明の文脈においてストリップを敷設することは、プレプレグストリップを敷設すること、及び敷設の直前、最中、又は直後にバインダーを含浸させ、及び／又はプラスチックマトリックスで取り囲む繊維材料を敷設することの両方を意味すると理解される。
【００１９】
ベースユニットにストリップを敷設するということは、ベースユニットに最初の層を適用することと、敷設されたストリップの少なくとも1つの既存の層にさらに層を適用することの両方を意味する。
【００２０】
本発明の文脈における用語ベースユニットは、ストリップ材料でまだ覆われていないフリーベースベースユニット、例えば、キャリア要素、基板、有機シート、繊維材料、又はプラスチックフィルムなど、と完成したワークピースまでのストリップ材料がすでに配置されているベースベースユニットとの両方を意味すると理解されるべきである。基本ベースユニットは、完成したワークピースの一部になるか、できれば再利用可能で、適用されたワークピースから分離することができる。
【００２１】
ベースユニットはまた、ベースベースユニット上に配置されていない少なくとも１つのストリップを備えた第１の層を意味すると理解されるべきである。このような第１のバンド層は、例えば、コンベヤ装置の保持手段上に直接敷設させることができる。これらの保持手段は、ベースユニットの一部ではない。
【００２２】
ストリップ材料という用語は、強化繊維とバインダー及び／又はプラスチックマトリックスを備えたプレハブストリップ（プレプレグストリップ）と、敷設直前、敷設中、又は敷設直後に完成して完成したストリップを形成することができる、供給ロールに由来するプレ含浸又は非含浸繊維材料の両方を意味すると理解される。バンドがバンド材料で形成されていると言われる場合、これは、対応するバンド材料をベースユニットに配置するか、プラスチックマトリックスなどの材料を追加することによってのみバンドが形成されることを意味する。事前に含浸されたストリップには、さまざまな厚さ、幅、繊維量がある。
【００２３】
搬送装置は、例えば、駆動摩擦コンベヤベルト、ローラートラック、ボールトラック、真空ベルト、磁気スライド、及び／又はリニアドライブを備えたトロリーを有することができる。搬送装置は、複数の搬送サブ装置で構成できるため、搬送装置全体をさまざまな構成で配置又は組み立てることができる。
【００２４】
本発明による方法又は本発明による装置を用いて、製造方法を完全に自動化することができる。アラインメントの変更は、アプリケーションステーション（複数可）の外部で行われる。ここで、位置合わせユニットは、好ましくは、コンベヤの一部として見ることができる。ベースユニットを運ぶ保持手段に対するベースユニットの向きの変更により、並進移動及び回転で移動できるテーブルを備えた、従来の技術から知られている解決策に代わる潜在的に経済的に著しくより効果的な代替案が存在する。保持手段に対するベースユニットの向きの変化は、敷設されるストリップ材料の量に関連して移動される著しく低い質量を意味する。さらに、敷設ユニットには、ストリップ敷設のために追加の複雑なロボット制御の移動アクチュエータが必要になることが回避される。可動式の敷設ユニットは、アプリケーションステーションの領域で省略できるため、静的なプロセスゾーンをそこに設定できる。これにより、ローカルの保護エンクロージャ、プロセスセンサー、追加のプロセス、及びストリップ材料の無限の供給を費用効果の高い方法で実装できる。
【００２５】
アラインメントを変更するために、アラインメントユニットを上から、つまり重力の方向にベースユニットに供給することができ、例えば、真空又は他の方法を使用することによって把持することができる。あるいは、位置合わせユニットは、下から、つまり搬送レベルを介してベースユニットにアクセスできる。この場合、位置合わせユニットによるベースユニットの把持又は固定は、重力によってサポートされ、必要に応じて、追加の技術的特徴によって強化される。例えば、好ましくはコンベヤ装置に取り付けられている少なくとも１つの隣接するバンパーエッジ(Stosskante)は、異なる速度で作動するコンベヤ要素、例えばベルト、スライド、落とし穴など、もまた、位置合わせの変更のために使用され得る。
【００２６】
ただし、アライメントユニットは、複数のベースユニットを積み重ねるために設定することもできる。最上部のベースユニットの向きを変えるために、ベースユニットのスタック全体の向きを変える、好ましくは回転させることが考えられる。スタックは、機械加工プロセスのバッファーとして機能する。
【００２７】
配向の変化は、例えば、搬送面に垂直に配向された回転軸の周りの回転であり得る。ベースユニットは、搬送面に平行に搬送され、例えば、直接又は間接的に搬送面上にある。ただし、例えばベースユニットを回転させるために、異なる方向の回転軸が代替的又は追加的に可能である。
【００２８】
本発明による方法はまた、ベースユニットがコンベヤ装置上で運搬されている間に配向の変化が起こるように実施することができる。この場合、位置合わせユニットは、ベースユニット又はベースユニットのスタックと一緒に搬送方向に移動する。アライメントを変更するためのアクチュエータは、コンベヤで運ぶことができる。位置合わせユニットは、コンベヤの一部と見なすこともできる。
【００２９】
ただし、コンベヤ装置に加えて移動するユニットがベースユニットにアクセスすることも考えられる。
【００３０】
言うまでもなく、向きの変更は、向きの変更のためのアクチュエータがコンベヤ装置によって運ばれるかどうかに関係なく、コンベヤの停止中にも実行できる。
【００３１】
少なくとも１つのベルトからなる第１の層は、コンベヤ装置の要素、例えば、コンベヤ装置の保持手段上に直接敷設することができ、それにより、少なくとも１つのさらなる層の敷設のためのベースユニットが製造される。しかしながら、本発明による方法は、少なくとも１つのベルトからなる第１の層が、コンベヤ装置に属さない基本的なベースユニット、例えば、ワークピースキャリア上に敷設されるように実施することもできる。次に、基本ベースユニットと敷設された第１の層の全体が、次のプロセスのベースユニットを形成する。
【００３２】
さらに、本発明による方法は、搬送装置内のベースユニットが、少なくとも１つのアプリケーションステーションの外側でも熱にさらされるように実施することができる。これは、搬送装置に沿って配置された少なくとも１つの温度制御ユニットによって実行することができる。その結果、搬送方向の温度制御対策に続いて、アプリケーションステーションのベースユニットを加熱するための費用を回避又は削減することができる。さらに、この方法で、少なくとも１つのベースユニットの有害な可能性のある温度変動を回避できる。基本ベースユニット又はベースユニット用の別個のキャリアユニットを使用することが有利な場合がある。これは、少なくとも１つの適用されたストリップへの高い熱伝達係数を有し、より好ましくは低い熱伝導率を有する。
【００３３】
さらに、本発明による方法は、少なくとも１つのストリップを形成するためのストリップ材料が、少なくとも１つの貯蔵容器に在庫として保持されるように実施することができる。その場合、少なくとも２つの保管コンテナに少なくとも１つのアプリケーションステーションにストリップ材料が装備されている場合、ストリップが所定の敷設パターンで計画どおりに敷設されるのと同時に、又は少なくともほぼ同時にそれらが使い果たされることが、特に有利であり得る。これには、関連する保管コンテナを、少なくとも１つの保管コンテナに大量のストリップ材料を残さずに同時に交換できるという大きな経済的利点がある。貯蔵容器は、例えば、巻かれたストリップ材料を備えたリール又はロール、あるいは、例えば、積み重ねられたストリップ材料又は曲がりくねった折り畳みのストリップ材料を備えたマガジンであり得る。
【００３４】
さらに、本発明による方法は、第１の貯蔵容器が第２の貯蔵容器と交換される前に、第２の貯蔵容器のストリップ材料が第１の貯蔵容器のストリップ材料に接合されるように実施することができる。接合は手動で、又はできれば自動化されたプロセスで行うことができる。これは、１つの貯蔵容器が交換された場合でも、生産プロセスを継続的に継続できるか、比較的短時間中断するだけでよいことを意味する。ストリップ材料が、例えばダンサーシステムを用いて緩衝ゾーン上を案内されることが提供され得る。
【００３５】
本発明による方法はまた、ストリップ材料の少なくともサブセットが、所定の分離点を導入することによって互いに容易に分離することができるストリップ材料の断片に分割されるように実施することができ、その長さは、それで形成されるストリップの長さに正確に又は少なくとも実質的に対応する。これにより、個別の切断プロセスが回避される。意図された分離点は、例えば、ストリップ材料を幅方向に穿孔又は部分的に切断することによって、接着結合片によって連続するストリップ材料の端を接続することによって、又は連続するストリップ材料の重なり合う端を一緒にステープル留めすることによって、又は別個のストリップ材料をキャリアフィルムに固定することによって導入することができる。意図された分離点での分離は、意図された分離点のタイプに応じて、例えば、単にキャリアフィルムを剥がすことによって、引っ張ることによって、又は熱又は放射、特にレーザー放射を導入することによって達成することができ、その結果、切断装置、特に機械的刃先を備えたものを節約することができる。
【００３６】
本発明による方法はまた、ストリップを敷設するためのアプリケーションステーションの少なくとも１つ又はストリップの少なくとも１つに関連するストリップ材料が堆積ユニットのｋでベースユニットに押し付けられるように実施することができる。これは、好ましくは、ベースユニットが実行される少なくとも１つの静止敷設ユニットによって行われる。
【００３７】
バンド材料をベースユニットに押し付ける前に、圧力要素から圧力要素の圧力方向に離間した領域から、バンド材料に作用するように準備することもできる。特に、ストリップ材料は、ベースユニットと接触する前に、事前配置、前処理、特に予熱、及び／又は関連する圧力要素に取り付けられる。重力場で水平な搬送面で搬送されるベースユニットの場合、ストリップ材料への作用は、搬送面の下の領域から発生する。この目的のために、運搬装置は、それぞれの圧力要素の領域で少なくとも一時的に対応して開くように設計されるべきである。前処理は、例えば、接着剤の塗布でもあり得る。粘着が必要な場合は、可能であれば、圧力要素がコンベヤ装置によって運ばれるベースユニットと接触したときに、ストリップ材料の始まりが、所定の敷設パターンに従って敷設されるストリップが開始するポイントでベースユニットと正確に接触するように行う必要がある。したがって、その後の切断又は除去プロセスを回避することができる。
【００３８】
本発明による方法はまた、圧力要素、例えば加圧ローラーを通って流れる冷却流体によって圧力要素が冷却されるような方法で実施することができる。圧力要素は、例えば、圧力ビード又はスライドシューとして設計することもできる。冷却は、関係する圧力要素の材料を効果的に保護する。
【００３９】
本発明による装置は、有利には、敷設ユニット又は敷設ユニットの１つに配置された少なくとも１つの圧力要素が、冷却流体によって冷却されるように設計することができる。ここで、圧力要素は、ローラーホルダーに固定された固定軸に取り付けられた加圧ローラーであり、ここで、加圧ローラーは、ストリップ材料と接触するように設けられたジャケット要素を含み、冷却流体ラインの少なくとも一部は、車軸とジャケット要素との間を走るか、又はジャケット要素と車軸との間に配置された少なくとも１つのチャンバによって形成される。加圧ローラーのベアリングが加圧ローラーの有用な幅内に配置されている場合、それは特に有利であり得る。さらに、冷却液はローラーホルダーを介して固定軸に直接供給することができるため、固有の回転ユニオンがある。したがって、冷却液をガイドするために必要なシールも、加圧ローラーの有効幅内に配置することができる。
【００４０】
この配置により、互いに隣接する敷設ユニットを互いに非常に接近して配置することが可能になり、ストリップを互いにわずかな横方向の(seitlichem)距離で同時に敷設することができる。冷却液がローラーホルダーを通して、例えばレバー要素のアームを通して供給されることも提供され得るため、有用な幅の外側にある回転ユニオンなど、敷設ユニットの幅を拡大する別個のフィード要素は必要とされない。
【００４１】
本発明による方法はまた、少なくとも２つのベースユニットが搬送装置内で同時に搬送され、少なくとも２つのベースユニットが少なくとも２つのアプリケーションステーションを通って次々に案内されるように実施することができる。ここで、ストリップの異なる敷設パターンは、好ましくは、少なくとも２つのアプリケーションステーションで提供される。複数のベースユニットが特定の時点でコンベヤ装置内に配置され、それらすべてが次々にアプリケーションステーションを通過することが好ましい。アプリケーションステーションでの敷設パターンは、好ましくは、そこに配置された少なくとも１つの敷設ユニットの固定位置及びそれぞれ敷設されたストリップ材料の寸法によってのみ事前定義される。ベースユニット上の特定のアプリケーションステーションに提供される敷設パターンの配向は、空間内のベースユニットの配向によって、したがってアプリケーションステーション及び搬送方向に対して事前に決定され、配向ユニットで可能な配向の変化によって影響を受ける可能性がある。
【００４２】
敷設パターンは、ベースユニットが通過するときに、アプリケーションステーションに存在するすべての敷設ユニットがストリップ敷設プロセスに関与するように、アプリケーションステーションで計画することができる。さらに、ベースユニットの配送サイクルは、アプリケーションステーション内又はアプリケーションステーションの前の任意の時点で少なくとも１つのベースユニットが存在するように設定できる。これにより、敷設ユニットの使用率を最適化し、敷設ユニットの静止タイムを実現できる。
【００４３】
敷設ユニットを複数のアプリケーションステーションに分割することには、特に異なるストリップ層において、異なる幅のストリップの敷設が容易になるという利点もある。幅の広いストリップを配置すると、製造プロセスの費用対効果を高めることができる。一方、ストリップ幅が非常に小さい場合は、ワークピースエッジでのオフカットを最小限に抑えることができる。異なるストリップ敷設幅を提供することは、例えば、単一のアプリケーションステーションの下を移動するための回転可能な敷設テーブルを提供する従来の技術において問題となるであろう。
【００４４】
全体として、比較的低い投資と運用コストで高いワークピーススループットを達成できる。さらに、好ましくは空間に恒久的に設置されるアプリケーションステーションでは、敷設ユニット及びストリップを供給するための手段を容易に交換できるように設計することができ、その結果、それぞれの敷設パターンを容易に変更することができる。したがって、注文固有の構成を簡単に実装できる。
【００４５】
本発明による装置はまた、アプリケーションステーション又はアプリケーションステーションの少なくとも１つが、製造プロセスにおいて静止している少なくとも２つの敷設ユニットを有するように設計することができる。ここで、敷設ユニットの敷設位置は、搬送方向に互いに距離を置いて配置されている。静止とは、敷設ユニットがアプリケーションステーションに対してその位置で変更されないことを意味する。搬送方向の距離は、敷設ユニット又はその部品の修理、保守、又は交換のために、横方向の(seitlichen)アクセス、つまり搬送方向を横切る方向への(quer)アクセスを容易又は可能にする。さらに、搬送方向の距離は、搬送方向に垂直な敷設面の敷設ユニット間の距離が、敷設されるベルトの幅に対応するように設計することができる。これは、敷設されたストリップの連続領域に１回のパスで到達できることを意味する。したがって、同じアプリケーションユニットの隣接する敷設ユニットの使用可能な幅は、互いに直接隣接することができる。
【００４６】
従属請求項３から１１及び１５から２３に提示される措置、ならびに関連する説明は、原則として、独立請求項の特徴を特徴づけることなく、すなわち、ベースユニットの配向を変更することなく、又は配向ユニットなしで実施することができ、それ自体が発明的であると見なすことができる。
【００４７】
本発明による装置及び本発明による方法の例示的な実施形態は、図を参照して以下に説明される。
【図面の簡単な説明】
【００４８】
【図１】図１は、監視下にあるアプリケーションステーションを備えた第１の生産装置を図示する。
【図２】図２は、図１による製造装置を側面図で図示する。
【図３】図３は、複数のアプリケーションステーションが計画されている第２の生産装置を図示する。
【図４】図４は、アプリケーションステーションの敷設場所のさまざまな配布計画を図示する。
【図５】図５は、アプリケーションステーションの敷設場所のさまざまな配布計画を図示する。
【図６】図６は、アプリケーションステーションの敷設場所のさまざまな配布計画を図示する。
【図７】図７は、アプリケーションステーションの敷設場所のさまざまな配布計画を図示する。
【図８】図８は、アプリケーションステーションの敷設場所のさまざまな配布計画を図示する。
【図９】図９は、アプリケーションステーションの敷設場所のさまざまな配布計画を図示する。
【図１０】図１０は、供給リールの最適化された割り当ての基本的な表現を図示する。
【図１１】図１１は、ストリップが結合される2つの供給スプールを図示する。
【図１２】図１２は、温度制御ユニットを備えた第３の製造装置を図示する。
【図１３】図１３は、温度制御ユニットを図示する。
【図１４】図１４は、加圧ローラー及び隣接するストリップを備えた部分的に敷設ユニットを図示する。
【図１５】図１５は、供給リールと分割ストリップを備えた敷設ユニットを図示する。
【図１６】部分断面で、流体冷却加圧ローラーを備えた、部分的にのみ示されている敷設ユニットを図示している。
【図１７】図１７は、保持フレーム上のいくつかの敷設ユニットの配置を図示している。
【図１８】図１８は、保持フレーム上の敷設ユニットを図示している。
【図１９】図１９は、製造プロセスのフローチャートを図示している。
【図２０】図２０は、図１９によるフローチャートの製造装置を図示している。
【図２１】図２１は、ベースユニット及び保持要素を側面図で図示している。
【図２２】図２２は、図２１による保持要素を図示している。
【発明を実施するための形態】
【００４９】
図１に概略図を示し、図２は、アプリケーションステーション２を備えた第１の製造装置のコンベヤ装置（ここではその全体は示されていない）の部分コンベヤユニット１の側面図を示している。図１の平面図では、供給リール４からストリップ材料（ここには図示されていない）が供給される、複数の敷設ユニット３（そのうちの２つのみが参照記号を備えている）が、アプリケーションステーション２のために示されている。いくつかのベースユニット５は、処理の異なる段階で図示されている。図１では、左上で、ベースユニット５が第１のスタッキングデバイス７に配置されており、異なる長さのストリップ６がすでに第１の貯蔵層に適用されている。図２の側面図では、ベースユニット５は、それらがアプリケーションステーション２に入る前に、ストリップ６をまだ備えていない。第１の敷設層のバンド６は、アプリケーションステーション２の右側にのみ示されている。スタッキング装置７は、ベースユニット５のスタックが第１のキャリア要素８上で受け取られることを可能にする。
【００５０】
第１のスタッキング装置７はまた、ここでは矢印のみで表される回転装置１２を有し、これを用いて、スタック、及びしたがって最上部のベースユニット5に、アプリケーションステーション2に入る前に特定の方向を与えるため、キャリア要素８、したがってベースユニット５のスタック全体を回転させることができる。したがって、第１のスタッキング装置７は、同時に、位置合わせユニット１１として機能する。アプリケーションステーション２を出た後、ベースユニット５は、第２のスタッキング装置９に供給され、そこで、ベースユニット５は、第２のキャリア要素１０上のスタックで受け取られ得る。
【００５１】
アプリケーションステーション２を出た後、ベースユニット５は、アライメントが変更された可能性がある後、アプリケーションステーション2で再びストリップ6で覆われるようにするため、ここには示されていないが、第２の部分コンベアユニットを用いて、第２のスタッキング装置９から再び第１のスタッキング装置７に戻すことができる。したがって、図１のアプリケーションステーション２の右側のベースユニット５は、第２の敷設層のストリップ６をすでに示している。このサイクルは、必要に応じて何度でも実行できる。第２のスタッキング装置９から第１のスタッキング装置７への輸送は、好ましくは、さらに詳細に示されていない運搬装置によって自動化された方法で実施される。
【００５２】
しかしながら、第２のスタッキング装置９から、ベースユニット５は、さらなる適用、すなわち、さらなる適用ステーション（図１及び２には図示されていない）又は、例えば、サイズへの切断又は温度制御などの他の手段に供給することができる。
【００５３】
ベースユニット５のためのスタッキング装置７又は９は、それらが製造プロセスにおいてバッファーとして使用され得るという利点を有する。原則として、ベースユニット５は、ここに示されていない他の位置合わせ手段によって、アプリケーションステーション２に入る前に、ベースユニット５上で個別に位置合わせすることもできる。スタッキングは必要ない。
【００５４】
図３は、生産ラインとして構成された第２の生産装置の平面図を示し、ストリップ６のいくつかの層を備えたベースユニット５の割り当てを示している。まだストリップ６で覆われていないベースユニット５（図の左上）は、第１のコンベヤサブユニット１３によって第１のアプリケーションステーション１４を通って案内され、そこでストリップ６の第１の敷設層で覆われる。次に、ベースユニット５は、回転矢印によってのみ象徴される第１の位置合わせユニット１５において回転され、回転軸は、特定の角度だけ搬送面に垂直である。ベースユニット５は、第２の搬送サブユニット１６によって第２のアプリケーションステーション１７に供給され、ストリップ６の第２の敷設層を備えている。このスキームは、第２の位置合わせユニット１８、第３のコンベヤ部品ユニット１９、第３のアプリケーションステーション２０、第３の位置合わせユニット２１、第４のコンベヤ部品ユニット２２及び第４のアプリケーションステーション２３、第４の位置合わせユニット２４、第５のコンベヤ部品ユニット２５、第５のアプリケーションステーション２６、第５の位置合わせユニット２７及び第６のアプリケーションステーション２９を備えた第６のコンベヤ部品ユニット２８を介して継続される。その結果、ストリップ６はベースユニット５の６つの敷設層に存在する。
【００５５】
図３は、１つの同じベースユニット５の一連の処理ステップの例示として理解することができる。もちろん、図３による概略図はまた、様々なステーションに多数のベースユニット５を備えた製造装置を示している。
【００５６】
図３の図によれば、様々なアプリケーションステーション１４、１７、２０、２３、２６及び２９はそれぞれ、ストリップ６の敷設位置３０の異なる配置を有し、そのうちの１つのみに参照番号が与えられる。敷設位置３０は、加圧ローラー（ここにはまだ示されていない）によってストリップ材料がベースユニット５に押し付けられる位置であると理解される。敷設位置３０の分布が異なると、図３による第２の製造装置の各敷設層は、敷設されたストリップ６の異なる敷設パターンを有する。
【００５７】
しかしながら、アプリケーションステーションに敷設されるストリップが、それらのエッジで少なくとも部分的に互いに突き合わされ、その結果、個々のストリップの幅を超える閉じた層が生じることが望ましい場合もある。図４から図９は、それぞれの部分コンベヤユニット１上の敷設位置３０の異なる可能な配置を示しており、わかりやすくするために、図では２つだけに参照記号が付けられている。ベースユニット５は、それぞれの場合において、図の左側に示され、また、図１の破線の前の向きで示されている。部分コンベヤユニット１の右端には、ベースユニット５が、それぞれの場合において、敷設位置３０に適用されたバンド６（参照番号を有する７つのバンドのうちの２つのみ）とともに示されている。
【００５８】
敷設位置３０を両方の搬送方向にオフセットすることにより、関連する敷設ユニット（ここには示されていない）を、敷設されるストリップの幅より広くすることができ、これは、敷設ユニットの構造をかなり単純化する。
【００５９】
さらに、敷設位置３０のオフセットの配置は、例えば、保守、修理、又は交換の目的で、敷設ユニット３（図４から９には示されていない）への横方向のアクセスを可能にする。
【００６０】
図１０は、左側にベースユニット５及びストリップ６が敷設された後のベースユニットの図の右側に実現されるように、敷設されるストリップ６の敷設堆積パターン６６を破線で概略的に示している。敷設パターン６６は、正方形の領域ではなく、異なる長さのストリップ６（例えば、ｘ及びｘ’）を有する領域を提供する。ストリップ６を互いに隣接して敷設させることができるようにするために、図８の配置と同様に、互いにオフセットして配置された敷設位置３０（図１０には示されていない）が提供される。供給リール４によってストリップ材料３１が供給される敷設ユニット（図１０には示されていない）は、各布石場所３０に属する。複数の供給リール４は、第１列のリール列３２と第２のリール列３３に互いに隣接して配置されている。ストリップ材料３１の互い違いの敷設位置に対応して（図８の敷設位置３０と比較）、供給リール４もまた、２列のリール３２及び３３において互いにオフセットして配置されている。このようにして、ストリップ６が互いに隣接する高密度敷設層(Ablageschicht)が達成される。
【００６１】
供給リール４は、異なる量のストリップ材料３１を有する。リール列３２及び３３の中央供給リール４のストリップ材料３１の量は、それぞれの端部に配置された供給リール４よりも著しく多い。供給リール４に存在するストリップ材料３１の量は、敷設されるストリップパターンに適合され、及びストリップ６が計画通りに敷設されたときに、すべてのリール４内のストリップ材料３１の供給が同時になくなるように選択される。これには、供給リール４をすべて同時に交換することができ、リール４の１つにストリップ材料３１の顕著な残留物が残ることがないという利点がある。
【００６２】
製造プロセスを中断することなく供給リール４を交換できるようにするため、又は中断を可能な限り小さく保つことができるようにするために、２つの異なる供給リール４のストリップ材料３１を、図１１に示す方法を使用して一緒に接合することができる。図１１は、ストリップ材料３１ａの供給が不足している第１の供給リール４ａを示している。第１の供給リール４ａの上に第２の供給リール４ｂがあり、そのストリップ材料３１ｂの供給はまだ完了している。それぞれのストリップ材料３１ａ又は３１ｂは、偏向ローラー３４ａ及び３４ｂを介して、ストリップ材料３１ａ及び３１ｂが互いに接合される接合装置３５に供給される。接合中に発生する可能性のあるストリップ材料の肥厚は、敷設プロセス中に切断又は無視することができる。図１０に示される変形から始めて、リール列３２又は３３のすべてのスプール列４に対する供給リール４の交換を実行することができる。なぜなら、リール列３２又は３３のスプール４は、大部分が同時に使い果たされているからである。
【００６３】
図１２は、３つのコンベヤサブユニット３６、３７、３８を備え、それぞれが敷設ユニット３の異なる配置を備えたアプリケーションステーション３９、４０、４１を備えた第３の製造装置を概略的に示している。回転矢印によってのみ象徴されるベースユニット５を整列させるための整列ユニット４２及び４３は、部分コンベヤユニット３６、３７、３８の間に配置される。適用ステーション３９、４０、及び４１の間には、温度制御装置４４が搬送レベルより上に設けられ（図１２には示されていない）、その結果、ベースユニット５の温度は、アプリケーションステーション３９、４０、及び４１の間の搬送経路上でわずかに低下するだけである。熱放射４５、例えば赤外線によってベースユニット５に作用する温度制御装置４４の１つが図１３に概略的に示されている。ベースユニット５のキャリア部分の誘導加熱又は抵抗加熱、高温ガス又はフォトニック加熱源などの他の加熱変形も可能である。したがって、必要な加熱に必要な時間は、それぞれの後続の適用ステーション、例えば４０又は４１において短く保つことができる。第３の製造装置の上に、１つ又は複数の温度制御装置４４の作用がない、ベースユニット５内の温度ＴBの例示的な経過を示す図が実線で示され、温度制御の影響下で、破線で示されている。
【００６４】
図１４は、ベースユニット５がコンベヤローラー４７によってその上に運ばれる部分コンベヤユニット４６を概略的に示す。全体が示されていない、敷設ユニット３の加圧ローラー４８には、左から到着するベースユニット５に敷設するために提供されるストリップ材料３１が供給される。加圧ローラー４８は、加圧ローラー４８上にあるストリップ材料３１への熱入力ｄＱ／ｄｔを可能にし、及びストリップ材料３１を加圧ローラー４８にも敷設するために、ベースユニットの下側によって与えられる搬送レベル４９の下からアクセス可能である。ストリップ材料３１は、好ましくは、加圧ローラー４８が転がり落ちるときに、ベースユニット５上の所望のストリップ敷設物の開始点と一緒になる加圧ローラー４８上の点に標的化された方法で配置される。ここに示されていない圧力要素を使用して、ストリップ材料３１を加圧ローラー４８に敷設することができる。
【００６５】
図１５は、供給リール４からストリップ材料５０が供給される敷設ユニット３を概略的に示している。ストリップ材料５０は、駆動ローラー５１のペアによって運ばれ、そのうちの１つだけが、ガイドユニット５２を介して加圧ローラー５３に能動的に駆動されることが好ましい。これは、搬送方向に示される２つのベースユニット５の前面にストリップ材料５０を敷設させる。ストリップ材料５０は、敷設される直前に、フォトニック加熱ユニット５４、例えば、レーザーによって加熱される。加圧ローラー５３に搬送されたベースユニット５は、例えば、ここには示されていない空気圧シリンダーを介して、ベースユニット５上の加圧ローラー５３の圧力（矢印で表される）を制御するため、及び／又は加熱ユニット５４を制御するために使用することもできる、近接センサ５５で検出される。加圧ローラー５３は、ベースユニット５の表面の凹凸を補正できるように、その周囲が弾性になるように設計されている。
【００６６】
ストリップ材料５０は、緩衝領域６３を介して案内され、緩衝領域６３は、供給リール４の慣性から、加圧ローラー５３に向かうストリップ材料５０の前進を切り離す。
【００６７】
ストリップ材料５０は、例えば、ストリップ材料５０のプラスチックマトリックスの溶融温度未満で溶融するバインダーによって、意図された分離点を形成する接触点５６で互いに緩く結合されたストリップ材料の断片に事前に切断される。他のメカニズム、例えば、穿孔、キャリア材料上でのストリップ材料片の静止、又は容易に取り外し可能な接続要素によるストリップ材料片の接続も考えられる。このようにして、敷設ユニット３内の切断プロセスのための支出を回避することができる。ストリップ材料の断片はまた、フォトニック加熱ユニット５４によって互いに分離することができる。
【００６８】
図１６は、部分的に斜視で、部分的に断面で、２つのレバーアームピース１０３と１０４との間の旋回可能なレバー要素５７上に配置され、敷設されるストリップ材料と接触するために提供されるジャケット要素１０１を備えた加圧ローラー４８を示す。加圧ローラー４８は、ベアリング１０２でレバーアームピース１０３及び１０４に固定されたシャフト５８に取り付けられている。図１６には、ボールベアリングが示されています。もちろん、ローラーベアリングやすべりベアリングなどの他のタイプのベアリングも可能である。ジャケット要素１０１の幅によって所定の加圧ローラー４８の使用可能な幅内、すなわち、図１６に、ここに示される例のレバーアームピース１０３と１０４との間のベアリング１０２の配置は、ベアリング１０２がレバー要素５７の幅を増やさないことにより、隣接する収納ユニットを備えたよりコンパクトな設計が可能である。
【００６９】
静止車軸５８は、冷却流体が車軸５８の周りを回転するチャンバ６０に導かれることができる穿孔５９を有する。チャンバ６０は、シール１０５によってベアリング１０２からシールされている。コースが矢印で表されている冷却流体は、レバーアームピース１０３に配置された入口（ここには見えない）を介して供給され、レバーアーム穿孔６２を介して静的軸５８に導かれることができる。冷却流体は、レバーアームピース１０４の出口６１を介してレバー要素５７を出る。レバー要素５７の前部１０７は、修理、保守又は交換の目的で、加圧ローラー４８と共に分割１０６のために取り外すことができる。
【００７０】
図１７は、それぞれが斜視図で加圧ローラー４８を備えた、保持フレーム６４上に保持された複数の敷設ユニット３の平行配置を示している。そのような配置は、アプリケーションステーションで提供することができる。基本的に先行技術から知られており、図１７に見ることができる敷設ユニット３の個々の要素は、ここではより詳細には説明されない。図１８は、保持フレーム６４上の敷設ユニット３のうちの１つを側面図で概略的にのみ示している。敷設ユニット３は、可動レール６５上に配置され、これにより、保持フレーム６４に対して、モーター駆動又は手動で敷設ユニット３を上下に動かすことができる。これにより、必要となる可能性のあるメンテナンス又は修理作業、及び敷設ユニット３の交換が容易になります。個々の敷設ユニット３のより良いアクセス可能性のために、保持フレーム６４上に配置され、ここには示されていない、旋回軸の周りの旋回運動を、上下に移動する代わりに使用することができる。
【００７１】
図１９は、本発明による方法の一例のシーケンスを概略的に示している。異なる敷設パターン７３から７８が、アプリケーションステーション６７から７２に敷設される。この目的のために、各アプリケーションステーションには、６７から７２の異なる敷設ユニットの配置（ここには示されていない）、又は単一の敷設ユニットのみが、ここにも示されていないベースユニットからの各通路で、各預金ユニットがアクティブ化されるような方法で、提供される。そのため、敷設ユニットの最適な使用率が得られる。したがって、単一の敷設ユニットをアプリケーションステーション６７に設けることができ、これは、ストリップ７９の断片によって象徴されるように、非常に幅の広いストリップを敷設する。他方、ストリップ８０は細く、パターン７６のアプリケーションステーション７０に敷設されるストリップを表す。ストリップパターン８１によるストリップは、アプリケーションステーション７２に敷設させることができる。
【００７２】
バンドパターン８２によって示されるような三角形のバンド構造はまた、例えば、敷設パターン７５のためのアプリケーションステーション６９において使用され得る。三角形又は他の形状のバンドパターン８２は、原則として、例えばキャリア材料上に、連続材料として供給することができる。しかしながら、すべてのストリップサンプルは、例えば、供給リール４から、及び必要に応じて、切断点（ここには示されていない）を介して、ストリップの切断片（スタック８４内にある）を受け取る、マガジン８３を介して、完全に切断されたストリップ片として敷設ユニットに供給することもできる。
【００７３】
図２０は、関連する製造装置の上面図とともに、図１９に示される方法を示す。左から来ると、ベースユニット５は、関連する部分コンベヤユニット及び位置合わせユニット９１から９５とともに、アプリケーションステーション６７から７２を通過する。敷設位置３０でストリップのそれぞれの位置に配置された敷設パターンは、本質的に、図１９の敷設パターン７３から７８に対応する。
【００７４】
最後に、図２１及び２２は、ストリップ６がその上に敷設された基本ベースユニット９６と、基本ベースユニット用の保持要素９７とを示している。基本ベースユニット９５とベルト６は一緒になって、本発明の意味の範囲内でベースユニット５を形成する。基本ベースユニット９６は、ここでは、例えば、保持要素９７の穿孔９９に係合するスパイクの形態のラッチ手段９８を有する。図２２には２つだけが明確に示されているが、円状に均等に分布している隣接する穿孔９９は、保持要素９７の中心点と角度αを形成することができる。その周りに、基本ベースユニット９６は、保持要素９７内のオフセットにラッチすることができる。保持要素９７は、位置合わせの変更を実行できるようにするために、位置合わせユニット（ここには示されていない）の位置合わせ手段が基本ベースユニット９６にアクセスすることができる中央穿孔１００を有する。
【符号の説明】
【００７５】
１    コンベヤユニット
２    アプリケーションステーション
３    敷設ユニット
４    供給スプール
５    ベースユニット
６    ストリップ(Band)
７    第１のスタッキング装置
８    第１のキャリア要素
９    第２のスタッキング装置
１０    第２のキャリア要素
１１  アライメントユニット
１２  回転装置
１３    第１の搬送ユニット
１４    第１のアプリケーションステーション
１５    第１のアライメントユニット
１６    第２のコンベヤユニット
１７    第２のアプリケーションステーション
１８    第２のアライメントユニット
１９    第３の搬送ユニット
２０    第３のアプリケーションステーション
２１    第３のアライメントユニット
２２    第４の搬送ユニット
２３    第４のアプリケーションステーション
２４    第４のアライメントユニット
２５    第５の搬送ユニット
２６    第５のアプリケーションステーション
２７    第５のアライメントユニット
２８    第６コンベヤ部品ユニット
２９    第６のアプリケーションステーション
３０    敷設位置
３１    ストリップ材料
３２    第１のリール列
３３    第２のリール列
３４    プーリー
３５    接合装置
３６    コンベヤサブユニット
３７    コンベヤサブユニット
３８    コンベヤサブユニット
３９    アプリケーションステーション
４０    アプリケーションステーション
４１    アプリケーションステーション
４２    アライメントユニット
４３    アライメントユニット
４４    温度制御装置
４５    熱放射
４６    コンベヤユニット（Foerderteileinheit）
４７  コンベヤローラー
４８    加圧ローラー
４９    搬送レベル
５０    ストリップ材料
５１    ドライブローラー
５２    ガイドユニット
５３    加圧ローラー
５４    加熱ユニット
５５    近接センサ
５６    接触点
５７    レバー要素
５８    軸
５９    穿孔(Bohrung)
６０    チャンバ
６１    冷却液出口
６２    レバーアーム穿孔
６３    バッファエリア
６４    保持フレーム
６５    レール
６６    敷設パターン
６７    アプリケーションステーション
６８    アプリケーションステーション
６９    アプリケーションステーション
７０    アプリケーションステーション
７１    アプリケーションステーション
７２    アプリケーションステーション
７３    敷設パターン
７４    敷設パターン
７５    敷設パターン
７６    敷設パターン
７７    敷設パターン
７８    敷設パターン
７９    ストリップパターン
８０    ストリップパターン
８１    ストリップパターン
８２    ストリップパターン
８３    マガジン
８４    スタック
８５    コンベヤサブユニット(Foerderteileinheit)
８６    コンベヤサブユニット
８７    コンベヤサブユニット
８８    コンベヤサブユニット
８９    コンベヤサブユニット
９０    コンベヤサブユニット
９１    アライメントユニット
９２    アライメントユニット
９３    アライメントユニット
９４    アライメントユニット
９５    アライメントユニット
９６    基本ベースユニット
９７    保持要素
９８    ラッチ手段
９９    穿孔(Bohrungen)
１００    中央穿孔
１０１    ジャケット要素
１０２    ベアリング
１０３    レバーアームピース
１０４    レバーアームピース
１０５    シール
１０６    分割
１０７    レバー要素の前部
【００７６】
請求項１
繊維複合材料を含むワークピースの製造方法であって、ここで、
ａ）コンベヤの保持手段（９７）によって保持されたベースユニット（５）は、少なくとも１つのアプリケーションステーション（２、１４、１７、２０、２３、２７、２９、２、１４、１７、２０、２３、２７、２９、３９−４１、６７−７２）を通って導かれる、及び
ｂ）問題のアプリケーションステーション（２、１４、１７、２０、２３、２７、２９、２、１４、１７、２０、２３、２７、２９、３９−４１、６７−７２）を通るベースユニット（５）の並進移動中に、アプリケーションステーション（２、１４、１７、２０、２３、２７、２９、２、１４、１７、２０、２３、２７、２９、３９−４１、６７−７２）又は少なくとも１つのアプリケーションステーション（２、１４、１７、２０、２３、２７、２９、２、１４、１７、２０、２３、２７、２９、３９−４１、６７−７２）でワークピースを形成するために、繊維複合材料に属する少なくとも１つのストリップ（６）がベースユニット（５）上に配置される、
ｃ）前記アプリケーションステーション（２、１４、１７、２０、２３、２７、２９、２、１４、１７、２０、２３、２７、２９、３９−４１、６７−７２）の前又は前記アプリケーションステーション（２、１４、１７、２０、２３、２７、２９、２、１４、１７、２０、２３、２７、２９、３９−４１、６７−７２）の少なくとも１つの前の搬送方向において、ベースユニット（５）の空間的位置合わせは、ホルダー手段（９７）に対して少なくとも１回回転することによって変更されることを特徴とする、方法。
請求項２
ベースユニット（５）がコンベヤ装置上で搬送されている間に配向の変化が起こることを特徴とする、請求項１に記載の方法。
請求項３
少なくとも１つのストリップ（６）からなる第１の層が、コンベヤ装置に属しない基本ベースユニット（９６）上に敷設されることを特徴とする、請求項１又は２に記載の方法。
請求項４
前記コンベヤ装置内の前記少なくとも１つのベースユニット（５）は、前記少なくとも１つのアプリケーションステーション（２、１４、１７、２０、２３、２７、２９、２、１４、１７、２０、２３、２７、２９、３９−４１、６７−７２）の外側でも熱が作用することを特徴とする、前記請求項のいずれか一項に記載の方法。
請求項５
少なくとも１つのストリップ（６）を形成するためのそのストリップ材料（３１、５０）は、少なくとも１つの貯蔵容器（４）に保管されることを特徴とする、前記請求項のいずれか一項に記載の方法。
請求項６
前記貯蔵容器の少なくとも２つが、テープが所定の敷設パターンで計画どおりに敷設されるのと同時に、又は少なくともほぼ同時にそれらが使い果たされる方法で、前記アプリケーションステーション（２、１４、１７、２０、２３、２７、２９、２、１４、１７、２０、２３、２７、２９、３９）の少なくとも１つで前記ストリップ材料を備えていることを特徴とする、請求項５に記載の方法。
請求項７
第１の貯蔵容器（４）が第２の貯蔵容器（４）と交換される前に、前記第２の貯蔵容器（４）の前記ストリップ材料（３１、５０）が前記第１の貯蔵容器（４）の前記ストリップ材料（３１、５０）に接合されていることを特徴とする、請求項５又は６に記載の方法。
請求項８
前記ストリップ材料（３１、５０）の少なくともサブセットが、所定の分離点（５６）を導入することによってより簡単な方法で互いに分離することができる、それぞれの長さが、それとともに形成されるストリップ（６）の長さに正確に又は少なくとも実質的に対応する、ストリップ材料の断片に分割されることを特徴とする、請求項５から７のいずれか一項に記載の方法。
請求項９
前記ストリップ（６）を敷設するための前記アプリケーションステーション（２、１４、１７、２０、２３、２７、２９、２、１４、１７、２０、２３、２７、２９、３９−４１、６７−７２）の少なくとも１つ又は前記ストリップ（６）の少なくとも１つにおいて、関連ストリップ材料（３１、５０）が、敷設ユニット（３）の圧力要素でベースユニット（５）に押し付けられることを特徴とする、請求項５から８のいずれか一項に記載の方法。
請求項１０
前記ストリップ材料（３１、５０）が前記ベースユニット（５）に押し付けられる前に、前記ストリップ材料（３１、５０）は、前記圧力要素（４８、５３）から前記圧力要素（４８、５３）の圧力方向に離れた領域から時間的に作用すること、特に、前記ストリップ材料（３１、５０）は、前記ベースユニット（５）と接触する前に、事前配置、前処理、特に予熱、及び／又は関連する圧力要素（４８、５３）に取り付けられていることを特徴とする、請求項９に記載の方法。
請求項１１
前記圧力要素（４８、５３）は、前記圧力要素（４８、５３）を通って流れる冷却流体によって冷却されることを特徴とする、請求項９又は１０に記載の方法。
請求項１２
少なくとも２つのベースユニット（５）が前記コンベヤ装置内で同時に運ばれ、前記少なくとも２つのベースユニット（５）が少なくとも２つのアプリケーションステーション（２、１４、１７、２０、２３、２７、２９、２、１４、１７、２０、２３、２７、２９、３９−４１、６７ー７２）を通って次々に案内されること、それにより、好ましくは、前記アプリケーションステーション（２、１４、１７、２０、２３、２７、２９、２、１４、１７、２０、２３、２７、２９、３９ー４１、６７―７２）の少なくとも２つに、前記ストリップ（６）の異なる敷設パターン（６６）が提供されることを特徴とする、前記請求項のいずれか一項に記載の方法。
請求項１３
ａ）少なくとも１つの敷設ユニット（３）を備えた少なくとも１つのアプリケーションステーション（２、１４、１７、２０、２３、２７、２９、２、１４、１７、２０、２３、２７、２９、３９−４１、６７−７２）であって、ここで、敷設ユニット（３）は、ストリップ材料（３１、５０）から形成され、且つ繊維複合材料に属する少なくとも１つのストリップ（６）を、所定の敷設パターンで少なくとも１つのベースユニット（５）に敷設するように設定される、アプリケーションステーション、及び
ｂ）少なくとも１つのベースユニット（５）を搬送するように設定され、保持手段（９７）を保持して、搬送方向に離間した少なくとも２つのアプリケーションステーション（２、１４、１７、２０、２３、２７、２９、２、１４、１７、２０、２３、２７、２９、３９−４１、６７−７２）に次々に、又は同じアプリケーションステーション（２、１４、１７、２０、２３、２７、２９、２、１４、１７、２０、２３、２７、２９、３９−４１、６７−７２）に少なくとも２回搬送するように設定されたコンベヤ装置、
を含む繊維複合材料を含むワークピースを製造するための装置であって、
ｃ）前記アプリケーションステーション（２、１４、１７、２０、２３、２７、２９、２、１４、１７、２０、２３、２７、２９、３９−４１、６７−７２）の前又は前記アプリケーションステーション（２、１４、１７、２０、２３、２７、２９、２、１４、１７、２０、２３、２７、２９、３９−４１、６７−７２）の少なくとも１つの前に配置された、保持手段（９７）に対して少なくとも１回回転することにより、前記ベースユニット（５）又は前記ベースユニット（５）の少なくとも１つの空間的位置合わせを変更するように設定された、少なくとも１つのアライメントユニット（１１、１５、１８、２１、２４、２７、４２、４３、９１−９５）、を特徴とする装置。
請求項１４
前記アライメントユニット（１１、１５、１８、２１、２４、２７、４２、４３、９１−９５）は、前記ベースユニット（５）のスタック（８４）を受け入れるように設定されていることを特徴とする、請求項１３に記載の装置。
請求項１５
前記コンベヤ装置内に配置された前記ベースユニット（５）のうちの少なくとも１つの温度を制御するように設定された少なくとも１つの温度制御ユニット（４４）を特徴とする、請求項１３又は１４に記載の装置。
請求項１６
前記アプリケーションステーション（２、１４、１７、２０、２３、２７、２９、２、１４、１７、２０、２３、２７、２９、３９−４１、６７−７２）の少なくとも１つに配置されたストリップ材料（３１、５０）用の少なくとも１つの貯蔵容器（４）を特徴とする請求項１１から１５のいずれか一項に記載の装置。
請求項１７
少なくとも１つの敷設ユニット（３）に２つの貯蔵容器（４）が用意されていることを特徴とする、請求項１６に記載の装置。
請求項１８
前記２つの貯蔵容器（４）のうちの一方の前記ストリップ材料（３１、５０）の始まりを、前記２つの貯蔵容器（４）のうちの他方のストリップ材料（３１、５０）の終わりに結合するように設定される結合手段を特徴とする、請求項１７に記載の装置。
請求項１９
前記貯蔵容器（４）の少なくとも１つが、ストリップ材料（３１、５０）の少なくとも一部を互いに容易に分離することができるストリップ材料の断片に分割する、所定の分離点（５６）を備えたストリップ材料（３１、５０）を有することを特徴とする、請求項１６から１８のいずれか一項に記載の装置。
請求項２０
前記敷設ユニット（３）又は前記敷設ユニット（３）の１つに配置された少なくとも１つの圧力要素（４８、５３）が、冷却流体によって冷却されることであって、ここで、前記圧力要素（４８、５３）は、ローラーホルダーに固定された固定軸（５８）に取り付けられた加圧ローラーであり、ここで、前記加圧ローラーは、前記ストリップ材料（３１、５０）と接触するように設けられたジャケット要素（１０１）を含み、且つ、冷却流体ラインの少なくとも一部は、前記軸（５８）と前記ジャケット要素（１０１）との間を通るか、又はジャケット要素（１０１）と軸（５８）との間に配置された少なくとも１つのチャンバ（６０）によって形成されることを特徴とする、請求項１３から１９のいずれか一項に記載の装置。
請求項２１
前記ジャケット要素（１０１）の取り付けは、前記あの有用な幅内に配置されていることを特徴とする請求項２０に記載の装置。
請求項２２
少なくとも１つの圧力要素（４８、５３）又はまだ敷設されていないストリップ材料（３１、５０）に作用するのに適した少なくとも１つのアクチュエータ、特に、前記圧力要素（４８、５３）の１つを意図したストリップ材料（４８、５３）の始まりを圧力要素に取り付けるため、及び／又は熱を導入するために、ここで、前記少なくとも１つのアクチュエータは、使用されるときに、少なくとも１つのベースユニット（５）の搬送レベル（４９）の下に配置された領域から前記圧力要素（４８、５３）にアクセスするように配置されることを特徴とする、請求項１３から２１のいずれか一項に記載の装置。
請求項２３
前記アプリケーションステーション（２、１４、１７、２０、２３、２７、２９、２、１４、１７、２０、２３、２７、２９、３９−４１、６７−７２）又は前記アプリケーションステーションの少なくとも１つ（２、１４、１７、２０、２３、２７、２９、２、１４、１７、２０、２３、２７、２９、３９−４１、６７−７２）に、製造プロセスで静止している少なくとも２つの敷設ユニット（３）があることであって、ここで、敷設ユニット（３）の敷設位置（３０）は、搬送方向において互いに距離を置いて配置されていることを特徴とする、請求項１３から２２のいずれか一項に記載の装置。
【図１】
2021529116.tif 000003
【図２】
2021529116.tif 000004
【図３】
2021529116.tif 000005
【図４】
2021529116.tif 000006
【図５】
2021529116.tif 000007
【図６】
2021529116.tif 000008
【図７】
2021529116.tif 000009
【図８】
2021529116.tif 000010
【図９】
2021529116.tif 000011
【図１０】
2021529116.tif 000012
【図１１】
2021529116.tif 000013
【図１２】
2021529116.tif 000014
【図１３】
2021529116.tif 000015
【図１４】
2021529116.tif 000016
【図１５】
2021529116.tif 000017
【図１６】
2021529116.tif 000018
【図１７】
2021529116.tif 000019
【図１８】
2021529116.tif 000020
【図１９】
2021529116.tif 000021
【図２０】
2021529116.tif 000022
【図２１】
2021529116.tif 000023
【図２２】
2021529116.tif 000024
【国際調査報告】
2021529116.tif 000025
2021529116.tif 000026
2021529116.tif 000027
2021529116.tif 000028
2021529116.tif 000029
2021529116.tif 000030